(57)【特許請求の範囲】
【請求項１】
支持部材と、この支持部材に支持されるフレキシャと、このフレキシャに形成された溝で切り離されたヘッド取付面で固定されるヘッド本体とを有し、前記フレキシャに支持されたヘッド本体が、前記支持部材との間に設けられた当接部を支点として揺動自在とされている磁気ヘッド装置において、
前記フレキシャには前記ヘッド取付面と段差を介して形成された腕部を有し、
前記フレキシャと前記支持部材との間には、前記当接部を支点とするヘッド本体の揺動量を所定の範囲内に規制する規制部が前記当接部の両側にそれぞれ設けられ、
前記規制部は、前記溝により切り離されて前記ヘッド取付面の両側でかつ前記支持部材の両側外方部に位置して前記フレキシャから一体に折り曲げられて前記支持部材方向へ突出する凹部を有する鉤状の規制片と、前記支持部材に設けられている前記規制片の凹部内で所定の範囲内で移動可能とされた挿入片とから構成されており、
前記規制部で規制されるヘッド本体の揺動範囲は、移動する記録媒体上でヘッド本体が前記当接部を支点として揺動する範囲以上であることを特徴とする磁気ヘッド装置。
【発明の詳細な説明】
【０００１】
【発明の属する技術分野】
本発明は、光磁気ディスク装置などに装備される浮上式の磁気ヘッド装置に係り、特に、耐衝撃性を向上させた磁気ヘッド装置に関する。
【０００２】
【従来の技術】
図５は光磁気ディスク装置に使用される磁気ヘッド装置の従来例を示す部分斜視図である。
この磁気ヘッド装置は、ヘッド本体２５とフレキシャ５０と支持部材４０とから構成されている。
ヘッド本体２５は、記録媒体に対向するスライダ２６を有し、このスライダ２６にコア組立体２７が保持されている。なお、図５の図示下面が記録媒体への対向面、図示上面側が支持部材４０により支持される支持側である。
【０００３】
コア組立体２７はコアおよびコアに巻かれたコイル３０などから構成されており、コア組立体２７の磁気ギャップ（図示しない）がスライダ２６の下面に現れている。
フレキシャ５０は薄い板ばねにより形成されたもので、固定部５１と舌片５２とが設けられている。
前記固定部５１には、位置決め孔５４が形成されている。また前記固定部５１の両側には突片５５，５５が形成されており、この突片５５，５５が前記スライダ２６の溝２８，２８に挿入され、フレキシャ５０の舌片５２とスライダ２６とが接着などにより固定される。
【０００４】
フレキシャ５０の舌片５２の上面は、後述するアダプタ４３に形成されたピボット（当接部）４６に突き当てられ、スライダ２６はフレキシャ５０の弾性により、前記ピボット４６の頂点を支点として姿勢を自由に変えることができるようになっている。
支持部材４０は、ロードビーム４１とアダプタ４３とで構成されている。
ロードビーム４１は板ばね材料により形成され、中間位置から先部にかけて両側部に折り曲げ部４１ａ，４１ａが形成され、この部分が剛性を有する構造となっており、ロードビーム４１の基端部にて所定の弾性押圧力を発揮できるものとなっている。また前記ロードビーム４１には、一対の位置決め孔４２，４２が形成されている。
【０００５】
アダプタ４３は凹状に形成され、立ち上り片４４，４５に位置決め孔４４ａ，４５ａが形成されている。前記位置決め孔４４ａ，４５ａがロードビーム４１の位置決め孔４２，４２に一致した状態で、アダプタ４３がロードビーム４１に溶接される。また、アダプタ４３の底面には段差が形成されており、一段高くなっている底面には、下方へ球面状に突出した前記ピボット４６が形成されている。アダプタ４３の一段低くなっている底面には位置決め孔４８が形成されており、この位置決め孔４８が、前述したフレキシャ５０の位置決め孔５４と位置合わせされ、前記フレキシャ５０の固定部５１とアダプタ４３とが、所定の範囲Ａにて溶接または接着などにより固定される。
【０００６】
一般に、光磁気ディスクは、ディスク表面を保護するためにカートリッジに収納され、カートリッジが装置内に装填されると、カートリッジに設けられたシャッタが開放してカートリッジの窓部が開口し、図５に示すヘッド本体２５は、前記窓部からカートリッジ内に入り、前記ヘッド本体２５がディスク上面に接触する。カートリッジ内のディスクが回転すると、ディスク上面の空気流によりヘッド本体２５が浮上姿勢となり、スライダ２６の下面に現れている磁気ギャップからディスクに垂直磁界が与えられる。ディスクの逆側からはレーザ光が照射され、光変調または磁界変調により、情報の書き込み動作が行なわれる。
【０００７】
【発明が解決しようとする課題】
ところで、近年ではヘッド本体２５が小型化され、このために、フレキシャ５０の剛性を弱める必要性がある。ヘッド本体２５が小型化されても、なおかつフレキシャ５０の剛性力が高くなっていると、前記ヘッド本体２５がアダプタ４３に形成されたピボット４６を支点として揺動自在に動きにくくなり、例えば前記ヘッド本体２５が、記録媒体の上下移動や記録媒体の上面の凹凸に正確に追従できないなどの問題が生じる。
フレキシャ５０の剛性を低減させるためには、前記フレキシャ５０の板厚寸法を小さくすることが必要になる。しかし、フレキシャ５０の剛性を低減させると、以下のような問題が生じる。
【０００８】
フレキシャ５０は図５に示すように、その上面が所定の範囲Ａだけアダプタ４３に固定されて、他端が自由端となっている。このため前記フレキシャ５０の剛性力を低減させると、組み立て作業中などに磁気ヘッド装置に強い衝撃が加わった場合、またはヘッド本体２５に外力が作用したときに、フレキシャ５０の自由端側が振られフレキシャ５０が塑性変形するおそれがある。また、磁気ヘッド装置が光磁気ディスク装置などに実装されている状態で装置全体に衝撃力が作用したときも、ヘッド本体２５が大きく触れて、光磁気ディスクに当たってディスクに傷を付けたり、またはヘッド本体２５の待避時に、ヘッド本体２５が他の部品に当たるなどしてヘッド本体２５が損傷するおそれがある。
【０００９】
本発明は上記従来の課題を解決するためのものであり、強い衝撃や外力が加わっても、ヘッド本体の変動量が一定の範囲内に収められるようにして、フレキシャの変形などを防止できるようにした磁気ヘッド装置を提供することを目的としている。
【００１０】
【課題を解決するための手段】
本発明は、支持部材と、この支持部材に支持されるフレキシャと、このフレキシャに形成された溝で切り離されたヘッド取付面で固定されるヘッド本体とを有し、前記フレキシャに支持されたヘッド本体が、前記支持部材との間に設けられた当接部を支点として揺動自在とされている磁気ヘッド装置において、
前記フレキシャには前記ヘッド取付面と段差を介して形成された腕部を有し、
前記フレキシャと前記支持部材との間には、前記当接部を支点とするヘッド本体の揺動量を所定の範囲内に規制する規制部が前記当接部の両側にそれぞれ設けられ、
前記規制部は、前記溝により切り離されて前記ヘッド取付面の両側でかつ前記支持部材の両側外方部に位置して前記フレキシャから一体に折り曲げられて前記支持部材方向へ突出する凹部を有する鉤状の規制片と、前記支持部材に設けられている前記規制片の凹部内で所定の範囲内で移動可能とされた挿入片とから構成されており、
前記規制部で規制されるヘッド本体の揺動範囲は、移動する記録媒体上でヘッド本体が前記当接部を支点として揺動する範囲以上であることを特徴とするものである。
【００１１】
本発明の磁気ヘッド装置では、フレキシャの弾性変形でフレキシャおよびこれに固定されたヘッド本体がピボットなどの当接部を支点として揺動するときに、その揺動範囲が規制部で制限される。したがって、組み立て作業中に大きな衝撃が作用し、またはヘッド本体に外力が作用しても、フレキシャの変形範囲が制限され、フレキシャに塑性変形が生じるのを防止できる。またディスク装置に実装された状態で外部から衝撃が作用したときもヘッド本体が大きく揺動するのを防止でき、ディスクの損傷やヘッド本体の損傷を防止できる。
【００１２】
前記規制部は、前記当接部の両側にそれぞれ設けられている。
【００１３】
フレキシャに支持されているヘッド本体は、ピボット状または折り曲げ片などによる当接部を支点として揺動するが、この支点となる当接部の両側に規制部を設けることにより、ヘッド本体の大きな揺動を防止できる。
【００１４】
前記規制部は、フレキシャから一体に折り曲げられて支持部材方向へ突出する凹部を有する鉤状の規制片と、支持部材に設けられて前記規制片の凹部内で所定の範囲内で移動可能とされた挿入片とから構成されている。
【００１５】
また、前記鉤状の規制片は、フレキシャから一体に折り曲げられていることが好ましい。ただし、前記規制片が別体のものであり、これがフレキシャに固定されていてもよい。
【００１６】
さらに、前記規制部で規制されるヘッド本体の揺動範囲は、移動する記録媒体上でヘッド本体が前記当接部を支点として揺動する範囲以上であることが好ましい。
【００１７】
このように構成することにより、記録媒体が移動するときに、ヘッド本体が記録媒体の凹凸に追従する動作を、前記係規制部が妨げることがない。
【００１８】
なお、本発明の支持部材は、ロードビームのみの場合もあり、または図５に示すように、ロードビームとアダプタとから構成される場合もある。
【００１９】
また、本発明の磁気ヘッド装置は、光磁気ディスク用のみならず、ハードディスク用にも適用可能である。
【００２０】
【発明の実施の形態】
図１は、本発明の第１の実施形態として光磁気ディスク装置に装備される浮上式の磁気ヘッド装置を示す部分分解斜視図、図２は、図１に示すフレキシャの展開図、図３は組立てられた状態を示す磁気ヘッド装置の部分平面図である。
この磁気ヘッド装置は、ヘッド本体１と、フレキシャ２と、ロードビーム（支持部材）３とから構成されている。
ヘッド本体１は、スライダ４とコア組立体（図示しない）とバックプレート５とから構成されている。前記スライダ４は例えばチタン酸カルシウム（ＴｉＣａＯ３）などの非磁性セラミック材料により形成されており、図１の図示下側が記録媒体への対向面、図示上面側がフレキシャ２に固定支持される支持側である。
【００２１】
前記コア組立体は、コイルが巻回されたフロントコアとサイドコアとで構成されている。なお前記コアは、マンガン亜鉛（Ｍｎ―Ｚｎ）フェライトなどの磁性材料により直方体形状で形成されている。
各コアは、スライダ４の図示裏側に形成された切欠溝（図示しない）に挿嵌され、接着されるなどして固定されている。また、コアの下面は、スライダ４の記録媒体対向面と同一面となっており、フロントコアとサイドコアとの間が磁気ギャップになっている。
【００２２】
図１に示すバックプレート５はバックコアとして機能しており、前述したフロントコアおよびサイドコアと同様に例えばマンガン亜鉛（Ｍｎ―Ｚｎ）フェライトなどの磁性材料により平板状に形成されている。なお、前記バックプレート５の下面には渦電流損を抑制するための例えばガラス（ＳｉＯ２）などの非導電材料によって形成された電気絶縁層が形成されていることが好ましい。
前記フロントコアのコイルに記録電流が与えられると、前記コイルからフロントコアに記録磁界が誘導される。そして、磁気ギャップを介してフロントコアとサイドコアとの間の洩れ磁界により、記録媒体に垂直磁界が与えられる。記録媒体の下方からはレーザ光のエネルギーが与えられ、磁界変調または光変調により、記録媒体に信号が記録される。
【００２３】
次に、ロードビーム３について説明する。
ロードビーム３は板ばね材料により形成されており、図１に示すようにロードビーム３の先部は段差構造となっている。
ロードビーム３には、図１の右上側から先部付近にかけて両側に折り曲げ部３ａ，３ａが形成されており、この部分が剛性を有する部分となっている。この折り曲げ部３ａ，３ａの終端から基端部には、前記折り曲げ部３ａ，３ａを有しない低剛性の板ばね機能部（図示しない）が設けられている。また前記折り曲げ部３ａ，３ａに挟まれた平坦部３ｂは図に示すように、ロードビーム３の先部にかけて徐々に幅寸法が小さくなっている。
【００２４】
前記平坦部３ｂの前端部から下方向にしかも記録媒体に対して垂直方向に垂直折曲面６が伸びており、さらに前記垂直折曲面６の端部から記録媒体に対して平行に、しかも平坦部３ｂから離れる向きに平行折曲面７が延びている。
また、図に示すように、垂直折曲面６の底面中央からは前記垂直折曲面６と一体となって記録媒体に対して垂直方向に板状のピボット（当接部）８が突き出している。このピボット８はフレキシャ２を介してヘッド本体１の上面に当接し、前記ヘッド本体１を揺動自在に支持するものである。
【００２５】
本発明では、ピボット８は垂直折曲面６と一体となって形成されることにより、前記ピボット８は平板状で形成される。従って図５に示すプレスによる絞り加工で形成されたピボット４６に比べて、ヘッド本体１に限りなく点に近い状態で当接できる。
また、前記ピボット８の形状については、前記ピボット８の頂点を図１に示すような円形状かあるいはＶ字形状として、ピボット８とフレキシャ２との接触面積を小さくすることが、ヘッド本体１をより揺動自在に支持できる点で好ましい。
【００２６】
図１に示すように、前記平行折曲面７は、垂直折曲面６の幅よりもさらに両側（Ｘ方向）に延びた形状となっている。図示左側に延びた平行折曲面７の端部は、取付面９となっており、この取付面９には位置決め孔１０が形成されている。なお、この取付面９はフレキシャ２との接合部となる部分である。
また、前記取付面９を除く平行折曲面７は挿入片１１であり、後述するように、ロードビーム３とフレキシャ２とが固定される際に、前記挿入片１１は、フレキシャ２に設けられた規制片１８，１８の凹部１８ａ，１８ａ内に挿入される。
【００２７】
以上、詳述したロードビーム３は平板から形成される。平板状のロードビーム３は、その先部が図１に示すような段差構造となるように折り曲げられる。このとき、予め垂直折曲面６の高さを、図５に示すアダプタ４３の高さと同じ程度にしておくことで、本発明では従来のようにアダプタ４３を設けなくても、ヘッド本体１からロードビーム３までの高さを所定の高さに設定できる。
フレキシャ２は薄い板ばねにより形成されている。図１に示すように、前記フレキシャ２には、固定面１２と弾性変形可能な腕部１３，１３とが一体に繋げられており、この腕部１３，１３から段差を介して、前記固定面１２と相対向する側にヘッド取付面１４が形成されている。
【００２８】
前記固定面１２には、前記固定面１２と一体となって図示上方に折り曲げられた固定爪１５，１５，１５，１５が形成されている。また前記固定面１２には位置決め孔１６が形成されており、この位置決め孔１６はロードビーム３の位置決め孔１０と位置合わせされるために設けられている。
ヘッド取付面１４には、ヘッド本体１の位置合わせをするための位置決め孔１７，１７が形成されている。
さらに前記ヘッド取付面１４には、その両側から前記ヘッド取付面１４と一体となって鉤状の規制片１８，１８が設けられている。図１に示すように、この規制片１８は図示上方に延び、その凹部１８ａ，１８ａは高さ寸法Ｈとなっている。
【００２９】
図２に示すようにフレキシャ２は平板から形成される。前記フレキシャ２には、エッチングにより溝（切欠き）１９が形成されており、この溝１９により離された部分がヘッド取付面１４と規制片１８になる。図に示す点線▲１▼，▲２▼が谷折りにて折り曲げられ、規制片１８，１８が垂直方向に向けられる。さらに図２に示す線▲３▼が山折りに、線▲４▼が谷折りに折り曲げられ、図１に示す形状となる。
フレキシャ２がロードビーム３に固定支持されるには、まず、ロードビーム３の取付面９の位置決め孔１０と、フレキシャ２の固定面１２の位置決め孔１６とが位置合せされ、同時にロードビーム２の挿入片１１が、フレキシャ２のヘッド取付面１４に形成された規制片１８，１８の凹部１８ａ，１８ａと前記ヘッド取付面１４との間（高さＨの間）に挿入される。
【００３０】
ところで、ヘッド取付面１４の上面に示す点Ｂは、ロードビーム３に形成されたピボット８の頂点が当接する位置であり、図１では、前記点Ｂを中心としてその両側に規制片１８，１８が形成されている。つまり、ロードビーム３の挿入片１１がフレキシャ２の規制片１８，１８の凹部１８ａ，１８ａとヘッド取付面１４との間に挿入されると、図１の実線の矢印で示すように、前記規制片１８，１８の凹部１８ａ，１８ａは、ピボット８の両側の挿入片１１に上下に余裕を有して係合する。このように図１では、規制部（規制片１８と挿入片１１）が、ピボット８の両側に形成された状態となっている。
そして、フレキシャ２の固定面１２に形成された固定爪１５，１５，１５，１５によりロードビーム３の取付面９が挟まれ、各固定爪１５がぞれぞれ折り曲げられる。さらに、図３に示すように、折り曲げられた前記固定爪１５上およびその周辺に樹脂や接着剤２０が塗布され接着固定される。
【００３１】
また、前述したヘッド本体１は、フレキシャ２のヘッド取付面１４に形成された位置決め孔１７，１７により位置決めされた後、前記ヘッド取付面１４の下に接着固定される。
前記ヘッド本体１の上面には、フレキシャ２のヘッド取付面１４を介してロードビーム３に形成されたピボット８の頂点が当接しているため、前記ヘッド本体１は、前記ピボット８の頂点を支点として揺動自在に支持された状態になる。
【００３２】
また、フレキシャ２の上下の変動量は、ロードビーム３に形成された挿入片１１がフレキシャ２に形成された規制片１８，１８の下に挿入されることにより、前記規制片１８，１８の凹部１８ａ，１８ａの高さ寸法Ｈの範囲内に制限される。
なお、本発明では、記録媒体（ディスク）が移動したときにヘッド本体１がディスク上で揺動する揺動範囲を許容できるように、前記規制部で挿入片１１が移動できる範囲（Ｈの範囲）が、前記ヘッド本体１がディスク上で揺動する範囲よりも広く設定されている。
【００３３】
図４は、本発明の第２の実施形態を示す磁気ヘッド装置の部分分解斜斜視図である。
この実施例におけるロードビーム３は図１に示すロードビーム３と同様に、その先部が段差構造とされており、従来（図５参照）のようにアダプタ４３を用いる必要のない構造となっている。
図４に示すように、ロードビーム３の平行折曲面７の図示右側には、ロードビーム３の後端部方向に突き出した挿入片（突片）１１が設けられている。
フレキシャ２は、図１に示すフレキシャ２と同様に、固定面１２とヘッド取付面１４とで構成され、この固定面１２とヘッド取付面１４とが、弾性変形部となる腕部１３，１３によって繋がれている。
【００３４】
図４に示すように、ヘッド取付面１４の図示右側端部には、鉤状に折り曲げられた規制片２１が形成されている。この規制片２１の凹部２１ａは高さ寸法Ｈを有している。なお、前記高さ寸法Ｈは、ディスク上でのヘッド本体１の揺動範囲よりも大きく設定されている。
そして、フレキシャ２がロードビーム３の取付面９に固定されたときに、ロードビーム３の挿入片１１が、規制片２１の凹部２１ａとヘッド本体１との間（高さＨの間）に挿入される。
【００３５】
以上詳述したように、本発明では、フレキシャ２の固定面１２がロードビーム３の取付面９に固定支持され、さらに自由端となっていたヘッド取付面１４に規制片１８（図４では規制片２１）が形成されている。前記規制片１８（あるいは係合片２１）と対向する位置のロードビーム３には挿入片１１が形成されており、この挿入片１１は、前記規制片１８（あるいは規制片２１）内に挿入される。
これにより、フレキシャ２の可能な上下の変動量は、前記規制片１８（あるいは規制片２１）内の高さ寸法Ｈに制限されることとなる。
【００３６】
従って、ヘッド本体１の小型化に対応するために、例えば前記フレキシャ２の板厚を薄くしたり、または、固定面１２とヘッド取付面１４とを繋げている腕部１３，１３の長さを長くしたり、あるいは前記腕部１３，１３の幅寸法を小さくして前記フレキシャ２の剛性を弱めても、強い衝撃が加わった場合や外力が作用した場合に、前記フレキシャ２が、規制片内の高さ寸法Ｈ以上に変動することがない。よって、従来のように前記フレキシャ２が衝撃により変形したりすることがなく、またヘッド本体１の浮上姿勢も常に安定したものとなる。
【００３７】
また、本発明では、規制部（規制片と挿入片）の形状および、その形成位置などを図１および図４に示すものに限定するものではない。
例えば、図１および図４では、いずれもフレキシャ２側からロードビーム３に向かって鉤状の規制片１８（規制片２１）が突き出しているが、この規制片１８（規制片２１）がロードビーム３側からフレキシャ２方向に形成されて、前記フレキシャ２には、図１および図４に示すロードビーム３に形成された挿入片１１が形成されて、前記挿入片１１が、前記規制片１８（規制片２１）内に挿入されるようなものであってもよい。
【００３８】
また、図１および図４に示す規制片１８（規制片２１）は、いずれもフレキシャ２のヘッド取付面１４の端部から形成されているが、例えば前記ヘッド取付面１４に切欠きが形成され、この切欠きにより離された部分が折り曲げられて規制片１８（規制片２１）が形成されていてもよい。
また図１に示す実施例では、規制部がロードビーム３に形成されたピボット８の両側に形成されているのに対し、図２に示す実施例では、規制部がピボット８の片側にしか形成されていないが、ピボット８の両側に規制部が形成されている方が、より耐衝撃性を向上させることができる点で好ましい。
【００３９】
図４に示すように規制部がピボット８の片側にしか形成されていないと、強い衝撃が加わったときに、前記規制部を支点として、衝撃方向に回転モーメントが発生し、フレキシャ２の腕部１３，１３が変形する可能性があるからである。
さらに、本発明では、図１および図４に示すようなヘッド本体１、フレキシャ２およびロードビーム３で構成される磁気ヘッド装置について説明してきたが、このような磁気ヘッド装置に限るものではなく、図５に示すようなアダプタ４３を使用する磁気ヘッド装置にも適用できる。この場合、規制部はフレキシャ５０とアダプタ４３との間に設けられる。
【００４０】
また本発明では、ヘッド本体１がロードビーム３の先部にて揺動自在に支持され、ロードビーム３が記録媒体上のトラック幅方向に向けられて記録・再生が行われる、いわゆるオーソゴナルタイプの磁気ヘッド装置について説明してきたが、ロードビーム３がトラック幅に対して交叉する方向に向けられ記録・再生が行われる、いわゆるインラインタイプの磁気ヘッド装置にも本発明の構造を適用できる。
【００４１】
オーソゴナルタイプの磁気ヘッド装置では、例えば図１に示すように、フレキシャ２がロードビーム３の長手方向に対して直交する方向に向けられているが、インラインタイプの磁気ヘッド装置では、フレキシャはロードビームの長手方向と同一方向に向けられている。
従ってインラインタイプの磁気ヘッド装置で発明の構造を適用するには、例えばロードビームの長手方向でしかもピボットの両側あるいはピボットの片側に位置する部分に孔あるいは切欠きが形成され、フレキシャ側には、鉤状の規制片が形成され、この規制片が、ロードビームに形成された孔または切欠きなどに係合されるようにすればよい。
【００４２】
【発明の効果】
以上詳述した本発明によれば、例えば支持部材に固定支持される部分以外のフレキシャ側から鉤状の規制片を設け、この規制片と対向する位置での支持部材に挿入片を設けて、フレキシャと支持部材とを固定支持する際に、前記挿入片を前記規制片内に挿入することにより、フレキシャの上下の可能な変動量を、一定の範囲内に制限することが可能となる。
【００４３】
従ってヘッド本体の小型化に伴い、フレキシャの剛性を弱めても、衝撃によるフレキシャの上下の変動量は一定の範囲内に収められるため、ヘッド本体は安定した浮上姿勢を取るようになり、また従来のように衝撃によりフレキシャが変形したりすることがなくなる。
【図面の簡単な説明】
【図１】本発明の第１実施形態として光磁気ディスク装置に設置される浮上式の磁気ヘッド装置の部分分解斜視図、
【図２】フレキシャの展開図、
【図３】組立て完成後の磁気ヘッド装置を示す部分平面図、
【図４】本発明の第２実施形態として光磁気ディスク装置に設置される浮上式の磁気ヘッド装置の部分分解斜視図、
【図５】従来の光磁気ディスク装置に設置される浮上式の磁気ヘッド装置の部分分解斜視図、
【符号の説明】
１  ヘッド本体
２  フレキシャ
３  ロードビーム
６  垂直折曲面
７  平行折曲面
８  ピボット（当接部）
１１  挿入片
１２  固定面
１３  腕部
１４  ヘッド取付面
１５  固定爪
１８，２１  規制片
１８ａ，２１ａ  凹部
１９  溝（切欠き）
Ｈ  高さ寸法
【図１】
0003556431.tif 000002
【図２】
0003556431.tif 000003
【図３】
0003556431.tif 000004
【図４】
0003556431.tif 000005
【図５】
0003556431.tif 000006